(57)【要約】【課題】栽培槽を容易に取り外せる構造とし、さらに軽量かつ持ち運びやすい形状にすることで、栽培槽の清掃作業が容易な、メンテナンス性に優れる水耕栽培用の栽培装置を提供する。【解決手段】水耕栽培用の栽培装置１０であって、栽培槽１と、該栽培槽１をその内側に収容する外側部材２からなり、栽培される植物４の根４ａは、上記栽培槽１内に収容されると共に、該栽培槽１内に供給される養液５に浸された構成とする。栽培槽１と外側部材２から構成される簡易な二層構造とすることにより、栽培槽１を外側部材２から取外して清掃できるようになる。従って、栽培槽１の清掃作業が容易となり、専用の清掃用具なども必要とせず、植物４の根４ａが外側部材２に触れることもないため、外側部材２を清掃する必要は殆どなくなり、メンテナンス性にも優れる。【選択図】図１
2017012066.tif 000002
【特許請求の範囲】
【請求項１】
水耕栽培用の栽培装置であって、
栽培槽と、該栽培槽をその内側に収容する外側部材からなり、
栽培される植物の根は、上記栽培槽内に収容されると共に、該栽培槽内に供給される養液に浸されている、ことを特徴とする栽培装置。
【請求項２】
上記栽培槽の両側部の上端に耳部が設けられており、該耳部が、外側部材の両側部の上端に設けられた支持部に支持されて、栽培槽が外側部材の内側に収容されている、ことを特徴とする請求項１に記載の栽培装置。
【請求項３】
上記栽培槽が、底壁と、底壁の両端から立ち上がる側壁からなるものであり、該側壁の水平面からの立ち上がり角度が９０°〜１３５°の範囲内である、ことを特徴とする請求項１又は請求項２に記載の栽培装置。
【請求項４】
上記栽培槽と上記外側部材の横断面形状が同一である、ことを特徴とする請求項３に記載の栽培装置。
【請求項５】
上記栽培槽の下面部と上記外側部材の下面部との間に隙間が設けられており、該隙間に水温調整部材又は／及びセンサーが設けられている、ことを特徴とする請求項１ないし請求項４のいずれかに記載の栽培装置。
【発明の詳細な説明】
【技術分野】
【０００１】
本発明は、栽培槽と外側部材からなる二層構造の水耕栽培用の栽培装置に関し、更に詳しくは、栽培槽の清掃作業が容易で、外側部材を殆ど清掃する必要のないメンテナンス性に優れた栽培装置に関するものである。
【背景技術】
【０００２】
従来、この種の装置として、雨樋を複数本並列に並べた流路部と、流路部を保持する脚部と、雨樋に養液を供給する給水部と、雨樋から養液を排出する排水部と、雨樋の上に載置され、植物を植栽する孔を有する板状の栽培パネルとを備え、該雨樋内に養液を流通させるようにした水耕栽培装置が知られている（特許文献１）。
【０００３】
また、二層構造の栽培装置としては、下側栽培容器と、下側栽培容器の上側に積み重ねられた上側栽培容器とを備え、上側栽培容器の底部には複数の第１貫通孔が設けられ、下側栽培容器の内部には、複数の第１貫通孔から排出される養液を貯めるための貯液空間が形成され、上側栽培容器の内部には、植物を定植するための培地が充填される培地充填空間が形成され、培地充填空間内の培地に定植された植物の根部は、培地内を延びた後に複数の第１貫通孔を通して貯液空間に延び、培地充填空間内の培地に養液が供給されると、この養液の余剰分は、複数の第１貫通孔を通して排出されて貯液空間に貯められる栽培装置なども知られている（特許文献２）。
【０００４】
上記特許文献１の水耕栽培装置は、既存の雨樋を利用すると共に、その構造を簡易なものとすることにより、装置全体の製造コストを抑えている。
【０００５】
また、上記特許文献２の栽培装置も、上記特許文献１の水耕栽培装置と同様に、比較的簡易な構成とすることにより、栽培装置の設置及び撤去作業を容易に行うことができるようにしている。
【先行技術文献】
【特許文献】
【０００６】
【特許文献１】特開２００６−１９７８４３号公報
【特許文献２】特開２００９−２６１２７４号公報
【発明の概要】
【発明が解決しようとする課題】
【０００７】
しかしながら、上記特許文献１の水耕栽培装置及び特許文献２の栽培装置は共に、装置の清掃作業性が良くないという問題があった。特に、水耕栽培のうち、室内で行われる人工光型植物工場では、室内のスペースを有効に活用するため、装置が高さ方向に複数段配置されることが多い。このような場合、特許文献１の水耕栽培装置では、例えば高所に配置される雨樋に手が届き難いため、清掃が困難であり、手が届く範囲でも水や消毒液を用いた清掃は極めて困難であるという課題があった。また、栽培装置の中でも栽培槽は、植物の根から出る根酸や、千切れた根っこ、アオコなどによって特に汚れやすく、栽培棚に備え付けられた状態では十分な清掃が困難で汚れが蓄積しやすいことから、清掃作業性が悪いという問題は到底見過ごすことはできない。清掃が行き届かないと培養液は継時的に汚染され、植物の生育に悪影響を及ぼすため、定期的に培養液を廃棄して新しい培養液を補充する必要がある。
更に、特許文献２の栽培装置においては、上側栽培容器に第１貫通孔が設けられているため、下側栽培容器に、植物の根の切れ端やゴミなどが入り込み、上側栽培容器だけでなく、同時に下側栽培容器までも清掃する必要があるため、上記特許文献１の水耕栽培装置と同様に、清掃作業性が良いとは言えないものであった。
【０００８】
本発明は上記の問題に鑑みてなされたもので、その解決しようとする課題は、栽培槽を容易に取り外せる構造とし、さらに軽量かつ持ち運びやすい形状にすることで、栽培槽の清掃作業が容易な、メンテナンス性に優れる水耕栽培用の栽培装置を提供することにある。
【課題を解決するための手段】
【０００９】
上記目的を達成するため、本発明に係る水耕栽培用の栽培装置は、
水耕栽培用の栽培装置であって、
栽培槽と、該栽培槽をその内側に収容する外側部材からなり、
栽培される植物の根は、上記栽培槽内に収容されると共に、該栽培槽内に供給される養液に浸されている、ことを特徴とするものである。
【００１０】
本発明の水耕栽培用の栽培装置においては、上記栽培槽の両側部の上端に耳部が設けられており、該耳部が、外側部材の両側部の上端に設けられた支持部に支持されて、栽培槽が外側部材の内側に収容されていることが好ましい。また、上記栽培槽が、底壁と、底壁の両端から立ち上がる側壁からなるものであり、該側壁の水平面からの立ち上がり角度が９０°〜１３５°の範囲内であることが好ましく、上記栽培槽と上記外側部材の横断面形状が同一であることがより好ましい。このような構成を採用する栽培装置においては、上記栽培槽の下面部と上記外側部材の下面部との間に隙間が設けられており、該隙間に水温調整部材又は／及びセンサーが設けられていることが好ましい。
【発明の効果】
【００１１】
本発明の水耕栽培用の栽培装置は、栽培槽と、その栽培槽をその内側に収容する外側部材から構成される簡易な二層構造とすることにより、栽培槽を外側部材から容易に取外すことが出来る。それによって、栽培槽を清掃し易い場所まで移動させることが可能となり、清掃作業性が大幅に改善されると共に、専用の清掃用具なども必要としない。これにより、清掃に必要な人件費を抑えることが可能となり、また、栽培槽が破損し、交換の必要が生じた際にも容易に対応することが可能となる。特に、高さ方向に複数段配置された栽培装置においては、上段からの排水を下段の給水として利用する構造となっている場合が多いため、清掃のために栽培槽を取外そうとすると循環ポンプを停止するなど、水の流れを止める必要がある。また、大規模な植物工場では栽培槽が大きくなるため、そもそも取外すこと自体が不可能な場合が殆どである。しかしながら、本発明では、容易に栽培槽を取外せる上に、給水される養液を外側部材により保持することが可能なため、給排水を停止する必要がない。なお、この外側部材は、植物に直接触れることがないため、汚れることは殆どなく、外側部材を清掃する必要が殆ど生じないため、メンテナンス性にも優れる。
【００１２】
また、上記栽培槽の両側部の上端に耳部が設けられており、該耳部が、外側部材の両側部の上端に設けられた支持部に支持されて、栽培槽が外側部材の内側に収容されている栽培装置は、栽培槽の耳部を外側部材の支持部に上方から載置するだけの作業で、栽培槽を外側部材の内側に安定して収容できるようになり、栽培槽の取外しも容易となる。
【００１３】
更に、上記栽培槽が、底壁と、底壁の両端から立ち上がる側壁からなるものであり、該側壁の水平面からの立ち上がり角度が９０°〜１３５°の範囲内である栽培装置は、栽培槽の側壁に付着した植物の根等のゴミが、側壁の傾斜に沿って滑り落ちて底壁に溜まるため、底壁のみを清掃すればよくなり、清掃時の手間が省ける。
【００１４】
そして、上記栽培槽と上記外側部材の横断面形状が同一であると、栽培槽と外側部材を重ね合わせることが可能となるため、装置の安定化を図ることができる。
【００１５】
また、上記栽培槽の下面部と上記外側部材の下面部との間に隙間が設けられており、該隙間に水温調整部材又は／及びセンサーが設けられている栽培装置は、栽培槽内の環境を、植物の栽培に最も適した環境とすることができる。
なお、ここでセンサーとは、温度センサー、ＥＣセンサー、ｐＨセンサーなどの各種センサーのことをいう。
【図面の簡単な説明】
【００１６】
【図１】本発明の一実施形態に係る水耕栽培用の栽培装置を示す断面図である。
【図２】同栽培装置の使用態様を示す斜視図である。
【図３】同栽培装置の栽培槽を示す正面図である。
【図４】同栽培槽の連結方法を示す説明図であって、（ａ）は継手により連結する前の状態の斜視図、（ｂ）は継手により連結した状態の斜視図である。
【図５】本発明の他の実施形態に係る水耕栽培用の栽培装置を示す断面図である。
【図６】本発明の更に他の実施形態に係る水耕栽培用の栽培装置の断面図である。
【発明を実施するための形態】
【００１７】
以下、図面を参照して本発明の具体的な実施形態を詳述する。
【００１８】
図１に示す本発明の栽培装置１０は、天候や害虫の影響を殆ど受けることがなく、効率よく植物４を栽培できることから、近年、注目されている水耕栽培用の栽培装置１０であって、養液５を溜める栽培槽１と、その栽培槽１を内側に収容する外側部材２と、植物４を保持する栽培パネル３とを備える。
【００１９】
上記栽培装置１０の前後両端の開口は、図２に示すように、２枚の板状体８により閉塞されて、栽培槽１の内側に、養液５を溜める貯溜空間が形成されている。そして、一方の端部（図２中では後端部）には、植物４に養液５を供給する養液供給部６が設けられていると共に、もう一方の端部（図２中では前端部）には、清掃時等に、養液５を排出する排出口７が設けられている。本実施形態では、栽培装置１０の一端部（養液供給部６側の端部）から他端部（排出口７側の端部）にかけて、１／１００〜３／１００程度の流れ勾配が設けられており、供給された養液５は排出口７側に向けて流れていくようになっている。
なお、図２中では、本発明の構造を理解し易くするため、栽培槽１の一方の開口に、板状体８が取付けられていない状態を示しているが、実際は、前後両端の開口を、２枚の板状体８により閉塞している。また、栽培装置１０の一端部から他端部にかけては、必ずしも流れ勾配を設ける必要はない。
【００２０】
上記栽培槽１は、住宅に好適に用いられる合成樹脂製の折板樋（以下、便宜上角樋という。）を有効利用したものであって、図１に示すように、底壁１ａと、底壁１ａの両端から立ち上がる側壁１ｂ，１ｂからなり、両側壁１ｂ，１ｂの上端には、耳部１ｃ，１ｃが設けられている。上記側壁１ｂは、図３に示すように、水平面Ｌからの立ち上がり角度θが９０°〜１３５°の範囲内となるように、底壁１ａから上方へ立設されており、この範囲内で側壁１ｂを上方へ立設することにより、栽培槽１の側壁１ｂに付着した植物４の根等のゴミが、側壁１ｂに付着することなく傾斜に沿って滑り落ちて底壁１ａに溜まるため、清掃時は底壁１ａに溜まったゴミのみを取り除けばよく、メンテナンス性が良好となる。
【００２１】
次に、上記栽培槽１をその内側に収容する外側部材２は、上記栽培槽１と同じものである。即ち、外側部材２と栽培槽１は、その形状、材質、寸法などが全て同一の角樋が用いられている。ここでは説明をわかり易くするため、外側部材２は、底板２ａと、底板２ａの両端から立ち上がる側板２ｂ，２ｂと、側板２ｂ，２ｂの上端に設けられた支持部２ｃ，２ｃからなるものとして記載しているが、実際は、外側部材２の底板２ａは栽培槽１の底壁１ａと同様であり、外側部材２の側板２ｂは栽培槽１の側壁１ｂと同様であり、外側部材２の支持部２ｃは栽培槽１の耳部１ｃと同様であり、側板２ｂの水平面Ｌからの立ち上がり角度θも、栽培槽１と同じ９０°〜１３５°の範囲内に設定されている。
なお、上記のように、本実施形態では、栽培槽１と外側部材２に全く同じ角樋を使用しているが、外側部材２の内側空間に栽培槽１を収容する二層構造とすることが重要であり、それができるのであれば、必ずしも栽培槽１と外側部材２を同じものとする必要はなく、別形状のものを用いてもよい。
【００２２】
上記栽培槽１と外側部材２とは、上下に重ね合わせられて、栽培槽１の耳部１ｃ，１ｃが、外側部材２の支持部２ｃ，２ｃに支持されることにより、外側部材２の内側空間に栽培槽１が収容されるようになっている。上記のように、栽培槽１と外側部材２は同一のものであるため、当然のことながら、その横断面形状も同一となっている。このように栽培槽１と外側部材２の横断面形状が同一であると、栽培槽１と外側部材２を上下に重ね合わせることが可能となるため、栽培装置１０の安定化を図ることができる。
【００２３】
なお、外側部材２の側板２ｂの立ち上がり角度θが９０°以下では、栽培槽１を外側部材２の内側に収容することができなくなるため好ましくない。また、栽培槽１の側壁１ｂの立ち上がり角度θが、外側部材２の側板２ｂの立ち上がり角度θよりも極端に大きかったり小さかったりすると、栽培槽１の耳部１ｃ，１ｃが外側部材２の支持部２ｃ，２ｃに支持されないケースも生じる。従って、少なくとも外側部材２の立ち上がり角度θは９０°よりも大きい必要があり、栽培槽１と外側部材２の横断面形状は同一であることが好ましい。
【００２４】
上記のように、栽培槽１の耳部１ｃ，１ｃを外側部材２の支持部２ｃ，２ｃで支持することにより、外側部材２の内側空間に栽培槽１を収容すると、図１に示すように、栽培槽１の耳部１ｃの高さ寸法分だけ、栽培槽１の下面部（底壁１ａ）と外側部材２の下面部（底板２ａ）との間に隙間Ｓが生じる。このように、栽培槽１の底壁１ａと外側部材２の底板２ａとの間に生じた隙間Ｓに、後述するが、断熱材やその他植物４を順調に成長させる各種部材を設けることで、栽培装置１０に様々な機能を付加することができる。
【００２５】
上記のように、栽培槽１と外側部材２は共に、住宅に好適に用いられる角樋を用いたものであるから、ある程度の長さ寸法を有する。本発明の栽培装置１０は、主に室内に設置されるものであり、栽培槽１や外側部材２が長すぎると、設置できないこともある。また、後述するように、清掃時は、外側部材２から栽培槽１を取外して、主に栽培槽１の内側面を洗浄することから、特に、栽培槽１が長すぎると、清掃作業性が悪くなる。従って、栽培槽１は、長さが３００〜２４００ｍｍ程度、好ましくは６００〜１２００ｍｍ程度とし、その長さの栽培槽１を複数個連結して栽培装置１０を構築することが好ましい。
【００２６】
図４に示すように、栽培槽１と栽培槽１は、継手９により連結される。この継手９は、底面連結部９ａと、底面連結部９ａの両端より上方へ立ち上がる側面連結部９ｂ，９ｂと、側面連結部９ｂ，９ｂの上端に設けられた上面連結部９ｃ，９ｃからなる内側継手であって、栽培槽１と栽培槽１の底壁１ａ，１ａの継目は、底面連結部９ａにより覆われて、栽培槽１と栽培槽１の側壁１ｂ，１ｂの継目は、側面連結部９ｂ，９ｂにより覆われ、栽培槽１と栽培槽１の耳部１ｃ，１ｃの継目は、上面連結部９ｃ，９ｃにより覆われて、栽培槽１と栽培槽１が連結されるようになっている。なお、栽培槽１は必ずしも継手により連結する必要はない。
【００２７】
上記継手９により連結される栽培槽１と栽培槽１は、容易に分解できる方が清掃作業がやり易いため、継手９に接着剤を塗布せずに連結することが好ましい。これに対して外側部材２は、後述するように、清掃の必要性が殆ど生じることがなく、外側部材２と外側部材２を連結する場合は、メンテナンス性よりも確実に連結固定されていることが要求されるため、継手９の外周面に接着剤を塗布して強固に連結することが好ましい。継手９は、本実施形態のように、内側継手ではなく外側継手であってもよいが、栽培槽１を内側継手で連結するのであれば、外側部材２も内側継手で連結することが好ましく、栽培槽１を外側継手で連結するのであれば、外側部材２も外側継手で連結することが好ましい。
【００２８】
上記のような構成の栽培槽１の上部開口は、図１、図２の仮想線に示すように、栽培パネル３により覆われている。この栽培パネル３は、底面部３ａと、底面部３ａの下面に設けられた培地３ｂと、両側面の上端に設けられた突出片３ｃ，３ｃからなるもので、栽培槽１の耳部１ｃ，１ｃに突出片３ｃ，３ｃが載置されて、栽培槽１の上部開口を覆っている。この栽培パネル３の底面部３ａには、植物４を保持する空間（不図示）が培地３ｂに亘るように設けられており、植物４が下方（栽培槽１）に落下しないように配慮されている。
【００２９】
本発明の水耕栽培用の栽培装置１０のように、水耕栽培においては、後述する栄養豊富な養液５を植物４に十分供給することから、アオコなどの藻が発生し易い環境となる。アオコなどの藻は、水質浄化など自然環境においては欠かせない存在であるが、水耕栽培において藻が発生すると、養液５の養分が藻に摂取されて植物４の成長が遅くなり、生育不良の原因ともなって好ましくない。藻が発生する一番の要因は光であると言われており、栽培パネル３によって養液５に光が照射されないように遮光する必要がある。従って、栽培パネル３は、光の通過を阻止するために、ある程度の厚みを有し、光が通過し難い材質で形成されている必要あることから、その厚みが１〜３０ｍｍ程度の光が通過し難い発泡スチロールやプラスチック板、或いは、板体に３０〜１０００μｍ程度の不透過性のアルミフィルム等が貼着された栽培パネル３が好適に用いられる。そして、光の反射を助長して植物４に光をより多く供給するために白色のものが好ましく、本実施形態のように、単なる平板ではなく立体的形状の栽培パネル３とすることにより、光を効率良く植物４に反射、供給できるようになる。このような栽培パネル３によって、栽培槽１の上部開口を覆うことにより、養液５に光が照射されることが阻止されて、アオコなどの藻が発生することなく、植物４は順調に成長する。
なお、栽培パネル３を、本実施形態のように、立体的なものとすると、植物４に光を多く供給できるようになることから好ましい態様であるが、単なる平板を栽培パネル３としてもよいことは言うまでもない。
【００３０】
本発明の水耕栽培用の栽培装置１０で栽培される植物４は、果物・野菜や鑑賞用の植物など多岐に亘り、特に限定されるものではなく、植物４の本体が栽培パネル３の培地３ｂにより保持されると共に、その根４ａは、栽培槽１の内部空間に収容されて、養液供給部６より供給される養液５に浸されている。
【００３１】
上記養液供給部６より植物４に供給される養液５は、栽培する植物４ごとに最適な成分が異なり、また、品種、栽培時期、生育段階、温度、光条件によっても成分組成が変わるものではあるが、植物４が根４ａから吸収する必須元素（窒素、リン、カリ、カルシウム、マグネシウム、硫黄、ホウ素、鉄、マンガン、銅、亜鉛、モリブデン、塩素、ニッケル、酸素）が含まれたものを用いる。
【００３２】
図２に示すように、外側部材２の一端部に設けられた養液５を排出するための排出口７は、図２に示す例では、円形の筒管であって、外側部材２の端部に穿孔された挿通孔に挿通されて、底板２ａより立設されている。この排出口７の周囲には、止水性を向上させる止水パッキン７ａが周設されており、これによって止水性を担保している。養液５の液面が、この排出口７の上端開口まで達すると、排出口７の内部に養液５が流入し、下端開口より外部に排出されるようになっている。
【００３３】
上記排出口７は、その上端開口位置を上下に移動させることにより、養液５の液面（上面）位置を任意に変更することができる。即ち、排出口７の上端開口を高い位置に移動させると、栽培槽１の内側空間の大部分を養液５の貯溜スペースとして活用することができるため、植物４の根４ａが十分に成長していなくとも、植物４の根４ａが養液５に浸かって養分を吸収することができる。
【００３４】
また、ある程度植物４が成長すると、その根４ａも下方に伸びてくる。そのような場合は、排出口７の上端開口位置を下方に移動させて、その設定液面を下げることにより、養液５の供給量を減らして、コストを削減することができるようにもなる。
【００３５】
更に、排出口７の上端開口の位置を、外側部材２の底板２ａと面一になるまで下げると、貯溜されている養液５が排出口７より全て排出されるため、清掃時等のメンテナンス時はそのようにしてから行ってもよい。また、排出口７を取り外し可能な部材とすることでも同様の効果が得られる。このように、外側部材２に、養液５が設定された液面に達すると排出される排出口７を上下移動可能に設けることにより、植物４の成長に合わせて養液５の供給量を最適化することが可能となって、必要以上の養液５を供給することもなくなる。
【００３６】
以上のような構成の本発明の水耕栽培用の栽培装置１０は、次のような手順により構築される。まず、栽培装置１０を設置するスペースに外側部材２を配置する。このとき必要があれば、外側部材２と外側部材２を継手９により連結する。
そして、この外側部材２の内側空間に、栽培槽１を収容する。栽培槽１の収容は、その耳部１ｃ，１ｃを、外側部材２の支持部２ｃ，２ｃで支持するという簡易な作業で行うことができるため、作業性が極めて良好である。次に、栽培装置１０の一端部に養液供給部６を設けると共に、他端部（外側部材２）に排出口７を設け、栽培装置１０の前後両端の開口を板状体８，８により閉塞した後、養液供給部６より養液５を供給する。前述したように、排出口７の上端開口位置を、任意の高さになるように調整しておくことが好ましい。その後、栽培槽１の耳部１ｃ，１ｃに栽培パネル３の突出片３ｃ，３ｃを載置して、栽培槽１の上部開口を栽培パネル３により覆うことにより、本発明の水耕栽培用の栽培装置１０が完成する。このとき、予め植物４を保持させた栽培パネル３を栽培槽１に載置してもよいし、栽培槽１に栽培パネル３を載置してから、植物４を保持させてもよい。
【００３７】
一方、栽培装置１０をメンテナンスする際は、まず、栽培パネル３を栽培槽１の上部開口から取外して、栽培槽１の内部空間に貯溜されている養液５を、外側部材２の内部空間に流し、栽培槽１を外側部材２から取外す。外側部材２に流された養液５は、上記のように、排出口７より外部に排出される。そして、取外した栽培槽１を清掃し易い場所まで移動させて、その内側面を清掃する。このように、本発明は、栽培槽１を外側部材２から取外して清掃することができるため、栽培装置１０が手の届きにくい高所などに設置されているような場合であっても、清掃し易い場所にまで栽培槽１を運んで清掃することができる。従って、専用の道具などは必要とせず、メンテナンス性にも優れる。また、栽培槽１と外側部材２に、従来よりある角樋を用いて、その外側部材２の内部空間に栽培槽１を収容するという簡易な構造にすることによって設置コストを抑えることもでき、更に、外側部材２は植物４の根４ａに直接触れることがないため、汚れることがなく、外側部材２までを清掃する必要は殆ど生じない。
【００３８】
図５は、本発明の他の実施形態に係る水耕栽培用の栽培装置を示す断面図である。
【００３９】
図５に示す実施形態の栽培装置１０は、前述した栽培槽１と外側部材２との隙間Ｓに、水温調整部材１１を設けたものである。この水温調整部材１１は、栽培槽１の底壁１ａと外側部材２の底板２ａとの隙間Ｓに配管（円筒管）を配設し、その配設された配管の内部に、温水或いは冷水を供給するようにしたものである。このように、栽培槽１と外側部材２との隙間Ｓに、水温調整部材１１を設けると、養液５を所望する温度に設定することができることから、栽培する植物４が限定されることがなくなる。
なお、上記のような温水や冷水の他にも、配管の内部に温風や冷風を供給することよって、温度を調整することもできる。
【００４０】
上記のような水温調整部材１１の他にも、栽培槽１と外側部材２との隙間Ｓに別途温度センサーを設け、温度センサーが設定した一定の温度に達すると、配管の内部に温水或いは冷水を供給するようにして、温度を管理することもできる。また、その他にも、栽培槽１と外側部材２との隙間に、ＥＣセンサー、ｐＨセンサーなどを設けて、植物４の生育環境の最適化を図ることもできる。
なお、本実施形態では、耳部１ｃの高さ寸法分だけ栽培槽１と外側部材２との間に隙間Ｓが生じるようになっているが、例えば、別途スペーサーを栽培槽１の底壁１ａと外側部材２の底板２ａとの間に介在させて、隙間Ｓを設けるようにしてもよい。
図５に示す実施形態の栽培装置１０のその他の構成は、前述した図１から図４に示す実施形態の栽培装置１０と同様であるので、同一部材に同一符号を附して説明を省略する。
【００４１】
本実施形態の栽培装置１０は、栽培槽１と外側部材２との隙間Ｓに水温調整部材１１等を設けて、温度管理等を行うことにより、植物４により好ましい生育環境を提供することができる。
【００４２】
図６は本発明の更に他の実施形態に係る水耕栽培用の栽培装置を示す断面図である。
【００４３】
本実施形態の栽培装置１０は、底面部３ａと突出片３ｃ，３ｃが別体の栽培パネル３０により栽培槽１の上部開口を覆ったものである。この底面部３ａとは別体の突出片３ｃは、前述した栽培パネル３の突出片３ｃよりも、左右方向の厚みが厚いものが用いられ、突出片３ｃは、栽培パネル３０と栽培槽１との間に生じる隙間から遮光することができる。
本実施形態の栽培装置１０のその他の構成は、前述した図１から図４に示す実施形態の栽培装置１０と同様であるので、同一部材に同一符号を附して説明を省略する。
【００４４】
この実施形態の栽培装置１０は、植物４の成長段階に合わせた量の養液５の供給が可能となり、余剰な養液５を供給する必要がなくなるため、経済的である。
【００４５】
以上、３つの実施形態を詳述してきたが、本発明の水耕栽培用の栽培装置１０はこれに限定されるものではなく、種々の設計変更を許容するものである。即ち、上記形態は、栽培槽１や外側部材２に角樋を利用したものであったが、例えば、横断面形状が半円形の丸樋を栽培槽１や外側部材２として利用することも可能で、樋以外のものを利用することもできる。また、栽培槽１を丸樋とし、外側部材２を角樋とすることや、外側部材２を大型の箱型のものとし、その内部に複数の栽培槽１を収容することもできる。
【符号の説明】
【００４６】
１０  水耕栽培用の栽培装置
１    栽培槽
１ａ  底壁
１ｂ  側壁
１ｃ  耳部
２    外側部材
２ａ  底板
２ｂ  側板
２ｃ  支持部
３    栽培パネル
３ａ  底面部
３ｂ  培地
３ｃ  突出片
４    植物
４ａ  植物の根
５    養液
６    養液供給部
７    排出口
７ａ  止水パッキン
８    板状体
９    継手
９ａ  底面連結部
９ｂ  側面連結部
９ｃ  上面連結部
１１  水温調整部材
Ｌ    水平面
Ｓ    隙間
θ    立ち上がり角度
【図１】
2017012066.tif 000003
【図２】
2017012066.tif 000004
【図３】
2017012066.tif 000005
【図４】
2017012066.tif 000006
【図５】
2017012066.tif 000007
【図６】
2017012066.tif 000008